(57)【要約】【課題】踏み面と段鼻とを同時に照明して安全な昇降を可能とする階段の照明装置を提供すること。【解決手段】照明装置１０は、各段３の段鼻部位７に装着されて、ＬＥＤ１３を光源として直下の踏み面５と直上の段鼻７を照明する。照明装置１０には正面側に正面側開口部１１２を形成する矩形筐体状のケース体１１を備えている。ケース体１１内部には、ＬＥＤ１３を取付けたＬＥＤ取付け板１２を、ケース体１１内に傾斜して配置し、上部に光の反射板１６を配置する。ケース体１１の上部には上部側開口部１１１を形成して、半透明の乳白パネル１４を装着する。ＬＥＤ１３は、反射板１６に斜め方向に照射するように設置し、ＬＥＤ１３から照射した光は、一方で、反射板１６から反射した光を直下の踏み面５を照射し、他方で光透過スペース１７から乳白パネル１４を通過させる。【選択図】図１
2010055822.tif 000002
【特許請求の範囲】
【請求項１】
階段の各段における前端縁部の段鼻部位に配設されて、ＬＥＤの光源によって、踏み面及び前記段鼻部位を同時に照明する階段の照明装置であって、
前記踏み面には、前記ＬＥＤから発射される直接光が照射され、
前記段鼻部位には、前記ＬＥＤから発射される間接光が照射されることを特徴とする階段の照明装置。
【請求項２】
階段の各段における前端縁部の段鼻部位に配設されて、ＬＥＤの光源によって、踏み面及び前記段鼻部位を同時に照明する階段の照明装置であって、
前記段鼻部位に配設されるとともに、前記段鼻部位の長手方向に沿って配設されて直下の前記踏み面に直接光を、及び直上の前記段鼻部位に間接光を、照射する照射手段を備える、ケース体が配設され、
前記照射手段が、前記ケース体内における前記開口部に対向する位置に配設され、
前記ケース体が、前記階段の正面側に開口部を有し、上部に前記段鼻部位の上面に前記段鼻部位の長手方向に沿って配設されるとともに前記照射手段から照射された光を透過する半透明の樹脂板を備えている、
ことを特徴とする階段の照明装置。
【請求項３】
前記樹脂板には、前記照射手段から発射された光を前記開口部側に反射する反射板が装着され、前記ＬＥＤは、前記ケース体の長手方向に沿って前記ケース体内に配設されたＬＥＤ取付け板に装着されるとともに、前記反射板に向かって光を発射可能な位置に装着されていることを特徴とする請求項２記載の階段の照明装置。
【請求項４】
前記反射板が、前記ＬＥＤから発射される光を、前記樹脂板を介して前記段鼻部位に透過できるように、前記樹脂板との間に光透過スペースを残して前記樹脂板を遮光可能に配設されていることと特徴とする請求項３記載の階段の照明装置。
【請求項５】
前記ケース体は矩形筐体状に形成され、前記ＬＥＤ取付け板が、前記ケースの強度を保持できるように、その両端部が前記ケースの対角方向に向かって配設されていることを特徴とする請求項３又は４記載の階段の照明装置。
【請求項６】
前記ケース体内には、前記反射板から反射された光線と直交する方向に傾斜した光透過板が配設され、前記光透過板に、前記踏み面に向かって光を透過するとともに水平方向には光を透過しないルーバー構造を有する視認角度調整フィルタが装着されていることを特徴とする請求項３，４又は５のいずれかに記載の階段の照明装置。
【請求項７】
前記照射手段が、前記ケース体の長手方向に沿って延設された透明の導光棒と、前記導光棒に光を発射するＬＥＤと、を備え、前記ＬＥＤから発射した光が前記導光棒を介して前記踏み面及び前記段鼻部位に照射可能に構成されていることを特徴とする請求項２記載の階段の照明装置。
【請求項８】
前記導光棒の一面には、長手方向に沿って外周面から軸線に向かって形成される複数個の切欠孔が並設され、前記ＬＥＤが前記導光棒の軸方向に対する両端部から光を発射可能に配設されていることを特徴とする請求項７記載の階段の照明装置。
【請求項９】
前記樹脂板には、前記照射手段から照射された光を前記開口部側に反射する反射板が装着され、前記切欠孔が、前記反射板に向かって対向する位置となるように、前記導光棒が前記ケース体に配設されていることを特徴とする請求項８記載の階段の照明装置。
【請求項１０】
前記切欠孔が、斜め下方にある直下の踏み面に対して、直接、対向する位置となるように、前記導光棒が前記ケース体に配設されていることを特徴とする請求項８記載の階段の照明装置。
【請求項１１】
前記ケース体内における前記切欠孔の前方には、前記踏み面に向かって照射される光線と直交する方向に光透過板が配設され、前記光透過板に、前記踏み面に向かって光を透過するとともに水平方向には光を透過しないルーバー構造を有する視認角度調整フィルタが装着されていることを特徴とする請求項８，９又は１０のいずれかに記載の階段の照明装置。
【発明の詳細な説明】
【技術分野】
【０００１】
本発明は、ＬＥＤを光源として、階段の踏み面と段鼻とを照明する階段の照明装置に関する。なお、本発明の階段の照明装置のＬＥＤは、ＬＥＤが配置されている直下の段における踏み面と、ＬＥＤが配置されている直上の段における前端縁部に配置された段鼻(又は段鼻部位ともいう)を照明するものである。
【背景技術】
【０００２】
階段の踏み面や蹴上げ部分に光源を配置して踏み面や段鼻を照明する階段の照明装置は、特許文献１又は特許文献２によって知られている。
【０００３】
特許文献１によれば、ＬＥＤを光源として照明部材が各段に備えられて、踏板を照明可能に配置されている。この照明部材はＬＥＤ直下の踏板の前端縁部分を暗くしてその他の部分を明るくするようなコントラストにすることによって、踏板の境の視認性を高めるようにしているものである。
【０００４】
また、特許文献２によれば、階段の各段に照明装置が備えられていて、照明装置を各階段踏板の中央部の領域のみを明るくするように構成させているものである。
【特許文献１】特許第３２２０６５６号公報
【特許文献２】特開２００１−２２９７２９公報
【発明の開示】
【発明が解決しようとする課題】
【０００５】
しかし、階段を照明する場合、階段は段差を伴っているものであるから、段差部分の視認性を高くする必要がある。この場合、階段の各段には、中央部全体にわたって踏み面が形成され、踏み面の前端縁部には段鼻が形成されている。踏み面と段鼻とが明るすぎると、特に視覚の衰えた人が階段を降りる際、眩しすぎて段差を視認し難い。また、暗すぎると見にくいため、やはり段差を視認し難い。そのため、照度ムラを生じさせることなく適度な明るさで照明する必要があった。また、ＬＥＤを光源として使用する場合には、特に階段を昇る人がＬＥＤを蹴り上げることがあり、ＬＥＤを蹴り上げることによりＬＥＤを損傷させる虞があった。そのためＬＥＤを蹴り上げる位置から回避できる位置に配置する必要もあった。
【０００６】
特許文献１では、視認性を高くするようにしているものの、１個のＬＥＤの１方向への照射で、その直下に配置された踏板の前端縁部を暗くして他の上面部分の双方を照明しているから、それぞれの輝度の調整を容易に行うことは困難を要することとなっていた。また、その調整は、階段の各設置状態を考慮して行われなければならなかった。例えば、室内の階段と室外の階段では、それぞれの光量が異なり、また踏板の広さによっても異なることから、その点を含めてもその調整は容易ではなかった。また、特許文献１に示されているＬＥＤは、踏板を直接照明するために、蹴込み板の正面側で且つ前端縁部の下面に備えられている。つまり、蹴込み板の内部側に設置することは、蹴込み板で遮断されることから、蹴込み板の表面側に設置しなければならず、これによって階段を昇る人が、眩しく感じるとともに、ＬＥＤを蹴り上げて損傷させる可能性があった。
【０００７】
特許文献２では、踏板の中央部の領域のみを照明することから、踏板の前端縁部付近には照明が届かず、階段を昇降する人にとって、必ずしも視認性を高めることにはならなかった。また、この階段照明方法でも、光源が踏板の内部に設置できるものではないことから、外部に設置された光源によって、階段を昇る人が眩しく感じたり、蹴り上げたりする虞を生じることになる。さらに、１個のＬＥＤで踏板の中央部の領域のみを照明することから、段鼻部位には照明が届かず照明効果の効率を低下させることとなっていた。
【課題を解決するための手段】
【０００８】
本発明は、上述の課題を解決するものであり、階段の内部に光源を配置することによって、昇降する人にとって眩しくなくまた視認性を高くするとともに、踏み面と段鼻部位とを同時に照明できて効率のよい照明効果を得られる階段の照明装置を提供することを目的とする。
【０００９】
このために本発明は以下のように構成するものである。すなわち、
請求項１記載の発明では、階段の各段における前端縁部の段鼻部位に配設されて、ＬＥＤの光源によって、踏み面及び前記段鼻部位を同時に照明する階段の照明装置であって、前記踏み面には、前記ＬＥＤから発射される直接光が照射され、前記段鼻部位には、前記ＬＥＤから発射される間接光が照射されることを特徴とするものである。
【００１０】
請求項２記載の発明は、階段の各段における前端縁部の段鼻部位に配設されて、ＬＥＤの光源によって、踏み面及び前記段鼻部位を同時に照明する階段の照明装置であって、
前記段鼻部位に配設されるとともに、前記段鼻部位の長手方向に沿って配設されて直下の前記踏み面に直接光を、及び直上の前記段鼻部位に間接光を、照射する照射手段を備える、ケース体が配設され、前記照射手段が、前記ケース体内における前記開口部に対向する位置に配設され、前記ケース体が、前記階段の正面側に開口部を有し、上部に前記段鼻部位の上面に前記段鼻部位の長手方向に沿って配設されるとともに前記照射手段から照射された光を透過する半透明の樹脂板を備えている、ことを特徴とするものである。
【００１１】
請求項３記載の発明は、請求項２の発明に係るものであり、前記樹脂板には、前記ＬＥＤから発射された光を前記開口部側に反射する反射板が装着され、前記ＬＥＤは、前記ケース体の長手方向に沿って前記ケース体内に配設されたＬＥＤ取付け板に装着されるとともに、前記反射板に向かって光を照射可能な位置に装着されていることを特徴としている。
【００１２】
請求項４記載の発明は、請求項３の発明に係るものであって、前記反射板が、前記ＬＥＤから発射される光を、前記樹脂板を介して前記段鼻部位に透過できるように、前記樹脂板との間に光透過スペースを残して前記樹脂板を遮光可能に配設されていることと特徴としている。
【００１３】
請求項５記載の発明は、請求項３又は４の発明に係るものであって、前記ケース体は矩形筐体状に形成され、前記ＬＥＤ取付け板が、前記ケースの強度を保持できるように、その両端部が前記ケースの対角方向に向かって配設されていることを特徴としている。
【００１４】
請求項６記載の発明は、請求項３乃至５の発明に係るものであって、前記ケース体内には、前記反射板から反射された光線と直交する方向に傾斜した光透過板が配設され、前記光透過板に、前記踏み面に向かって光を透過するとともに水平方向には光を透過しないルーバー構造を有する視認角度調整フィルタが装着されていることを特徴としている。
【００１５】
請求項７記載の発明は、請求項２の発明に係るものであり、前記照射手段が、前記ケース体の長手方向に沿って延設された透明の導光棒と、前記導光棒に光を発射するＬＥＤと、を備え、前記ＬＥＤから発射した光が前記導光棒を介して前記踏み面及び前記段鼻部位に照射可能に構成されていることを特徴としている。
【００１６】
請求項８記載の発明は、請求項７の発明に係るものであって、前記導光棒の一面には、長手方向に沿って外周面から軸線に向かって形成される複数個の切欠孔が並設され、前記ＬＥＤが前記導光棒の軸方向に対する両端部から光を発射可能に配設されていることを特徴としている。
【００１７】
請求項９記載の発明は、請求項８の発明に係るものであって、前記樹脂板には、前記照射源から照射された光を前記開口部側に反射する反射板が装着され、前記切欠孔が、前記反射板に向かって対向する位置となるように、前記導光棒が前記ケース体に配設されていることを特徴としている。
【００１８】
請求項１０記載の発明は、請求項８記載の発明に係るものであって、前記切欠孔が、斜め下方にある直下の踏み面に対して、直接、対向する位置となるように、前記導光棒が前記ケース体に配設されていることを特徴としている。
【００１９】
請求項１１記載の発明は、請求項８乃至１０の発明に係るものであって、前記ケース体内における前記切欠孔の前方には、前記踏み面に向かって照射される光線と直交する方向に光透過板が配設され、前記光透過板に、前記踏み面に向かって光を透過するとともに水平方向には光を透過しないルーバー構造を有する視認角度調整フィルタが装着されていることを特徴としている。
【発明の効果】
【００２０】
本発明によれば、階段の照明装置が、階段の各段の段鼻部位に配設されて、ＬＥＤを光源とする照明光によって直下の踏み面と直上の段鼻部位に照明することができる。つまり、踏み面には直接光を照射し、段鼻部位には間接光を照射することによって、先端部から奥までの照明の明暗比を付けることができる。これによって、適度な照明、すなわち、先端部の段鼻部位から奥に向かって徐々に明るくなり、特に段鼻部位の輪郭を眩し過ぎることなく浮き出させることができるという効果を得ることができる。
【００２１】
また、この発明によれば、階段の踏み面における幅方向(長手方向)には、階段の段鼻部位にケース体が配設されている。ケース体の長手方向に沿ってケース体に形成された開口部と対向する位置に配設された照射手段から、一方では、ケース体の開口部から直下の踏み面に向かって直接光が照射され、他方では、直上の段鼻部位に向かって間接光が照射される。直下の踏み面に照射される照明光は、光の照度を低下させるものはないから、踏み面の所定の範囲内における明るさ（輝度）を高くすることができ、直上の段鼻部位に照射される照明光は、光を透過する半透明の樹脂板によって照度が低下され、踏み面に照射される照明光よりその輝度を低下させることができて薄暗く照明される。
【００２２】
したがって、階段においては、踏み面が明るく照明されて段鼻部位は薄暗く照明されることから、階段全体が眩しすぎることなく、また、暗く過ぎることもなく適度なバランスで照明することができる。そのため、安全な昇降を行うことができる。しかも、段鼻部位にケース体を配設していることから、ケース体に内蔵されている照射手段を蹴り上げる虞もなく、照射手段を損傷させることもない。
【００２３】
照射手段として、ケース体の長手方向に沿って複数のＬＥＤを直接開口部に対向して配設して、直接ＬＥＤから光を発射させてもよく、また、ケース体の長手方向に沿って、透明の導光棒を配設し、その両端からＬＥＤからの光を発射して、直下の踏み面及び直上の段鼻部位に照明できるようにしてもよい。
【００２４】
例えば、ケース体内に直接ＬＥＤを配設する場合には、ＬＥＤを反射板に向かって照射できる位置に配置する。この場合、ＬＥＤは、ケース体の長手方向に沿って配設されたＬＥＤ取付け板に複数個装着されることとなる。反射板は樹脂板に装着されているから、ＬＥＤから発射された光は、反射板に向かって斜め方向に照射され、反射板で反射された光が、ケース体の開口部位を通って直下の踏み面を照明する。反射板で光を反射させることによって、ＬＥＤの取付け位置をケース体の前端面から離れた位置に設けなくてもよいから、ケース自体をコンパクトに形成することができる。また、光の照度を妨げるものがないから、踏み面を明るく照明することとなる。
【００２５】
また、反射板に向かって発射された光のうち、反射されない光は、段鼻部位の下方を覆う半透明の樹脂板と反射板との間の光透過スペースを通って直上の段鼻部位に照明する。この光は、半透明の樹脂板により照度を低下させる。したがって、段鼻部位は、踏み面より薄暗く照明されることから、踏み面と段鼻部位とは、輝度の高い部位と輝度の低い部位とが順に照明されることとなって、視覚的なバランスを取ることができる。
【００２６】
また、本発明の階段の照明装置では、ＬＥＤを取付けるためのＬＥＤ取付け板を、矩形筐体状のケース体に対して対角方向に向かって配設しているから、建物の筋交いと同様の役目を果たすこととなってケース体を補強することができる。
【００２７】
さらに、ケース体の正面側に装着されて反射光線と直交する方向に傾斜された光透過板には、反射板によって反射された光線が斜め下方に沿って透過する。この光透過板にルーバー構造を有する視認角度調整フィルタが貼着されている。この視認角度調整フィルタは、光線の正面方向、つまり、斜め下方に向かう直下の踏み面に対して透過して照射することができ、水平方向に対しては透過されないように構成されている。したがって、階段を上る人にとって、眩しく感じられることがない。しかも、このシートを通る反射光は、光線の正面方向となるから、踏み面を照明する光が所定の輝度を低下させない。
【００２８】
また、本発明において、照射手段が、ＬＥＤから発射される光を、導光棒を介して照射する場合においては、透明の導光棒と導光棒の軸方向における両端から光を発射するＬＥＤとを備えている。導光棒が装置の長手方向に配置され、照射手段が導光棒の長手方向に沿って複数位置に並設して設ければ、ＬＥＤの数量を少なくして、コストを廉価にすることができる。また、１本の導光棒で複数の照射手段を有することができることから、ＬＥＤを長手方向に沿って並設する場合と比べて、発光ムラ生じにくい。
【００２９】
また、導光棒は、長手方向に沿って、外周面から軸心に向かって形成される切欠孔が複数個並設されている場合、透明な導光棒に光を透過すると、加工した部位から光が漏れることが周知であるから、導光棒の両端面から軸心に沿って光を発射すると、加工部位、つまり切欠孔より光が屈折して方向変換される。
【００３０】
この切欠孔を反射板に向けるように導光棒をケース体内に配置することによって、光は反射板で反射してケース体の開口部を通って直下の踏み面に照射することができ、踏み面の輝度を高くして照明することができる。
【００３１】
また、ＬＥＤは、前述のようなケース体内に配設されたＬＥＤ取付け板に装着するものではなく、導光棒の両端面に装着することから、導光棒の向きを自由に変えることができ、例えば、導光棒の切欠孔の位置を、直接、直下の踏み面に向けることができる。この場合、反射板を使用することなく直下の踏み面に輝度の高い照明をすることができる。
【００３２】
さらに、導光棒を介してＬＥＤの光を直下の踏み面や直上の段鼻部位に照射する形態の場合、前述と同様に、ケース体の正面側に装着されて反射光線と直交する方向に傾斜された光透過板に、視認角度調整フィルタを貼着することによって、階段を上る人にとって、眩しさを防止することができる。
【発明を実施するための最良の形態】
【００３３】
次に、本発明における実施形態の階段の照明装置を、図面に基づいて説明する。なお、以下の説明にあたって、「照度」は光の明るさを示すものであり、「輝度」は、照明された部位の所定の範囲における明るさを示すものとして説明する。
【００３４】
図１は、複数段の階段１を示すものであり、階段１は、各段３に配置される踏み面５と、前端縁部に配置される段鼻（又は段鼻部位ともいう）７と、踏み面５から高さ方向に直交する蹴上げ板９とを備えている。
【００３５】
階段の照明装置(以下、単に照明装置という）１０は、各段３の前端縁部位の角部(段鼻部位７)に幅方向全体にわたって配置されている。照明装置１０における長手方向の両端部は照明を遮断する非照明部１０１として形成され、両端部を除く中央部は照明可能な照明部１０２として形成されている。
【００３６】
第１の実施形態の照明装置１０は、既設の階段１の場合、既設の段鼻７を削り取ってその削り取った部位に装着するものであり、照明の光源をＬＥＤ１３で行うようにしている。階段１が新設の場合は、各段３の前端縁部の段鼻７に予め照明装置１０を装着した状態で階段１を設置することになる。実施形態の照明装置１０は、踏み面５と蹴上げ板９の端面に接合して装着されている。なお、踏み面５の下面と蹴上げ板９の裏面にそれぞれＬ字状のブラケットを取付けて、このブラケットで照明装置１０を支持するようにしてもよい。
【００３７】
ＬＥＤ１３は、照明部１０２において、複数個定間隔で配置され、直下の踏み面５と直上の段鼻部位７を照明するように構成されている。第１の実施形態では、このＬＥＤ１３が照明装置１０の長手方向に複数個に配置されることによって、各段３の踏み面５及び段鼻部位７を照明する照射手段として構成されることとなる。なお、踏み面５には直接光が照射され、段鼻部位７には半透明の樹脂板（後述の乳白パネル）を透過するため間接光が照射されることになる。
【００３８】
照明装置１０は、図２に示すように、照明部１０２全体にわたって配置されて矩形筐体状に形成されたケース体１１と、ケース体１１の内部断面における対角方向に配置されたＬＥＤ取付け板１２、とを備えている。ＬＥＤ取付け板１２には、光源となるＬＥＤ１３が斜め上方に光を発射できるように装着されている。ケース体１１の上面には、ケース体１１の長手方向に沿って上部側開口部１１１が形成されて、上部側開口部１１１に半透明の樹脂板(以下、乳白パネルという)１４が装着されている。この乳白パネル１４は階段の段鼻７として配置される。また、ケース体１１の階段正面側に相当する部位には、ケース体１１の長手方向に沿って正面側開口部１１２が形成され、正面側開口部１１２の内方にくの字状で透明に形成された透明板としての光透過板１５が装着されている。なお、以下の説明では、照明装置１０の正面側開口部１１２側を前部又は前方といい、その反対側を後部又は後方という。
【００３９】
半透明の乳白パネル１４は、厚み方向で下部１４１と上部１４２とを有する段状に形成され、下部１４１を上部側開口部１１１に挿入して、上部１４２をケース体１１の上面部全体を覆うように形成されている。
【００４０】
乳白パネル１４の下面側には、ケース体１１の上部前方から延設した反射板１６が半透明の乳白パネル１４を塞ぐように配置されている。反射板１６は乳白パネル１４の下面に対して一部の光透過スペース１７を残して、ＬＥＤ１３から発射される光を正面側開口部１１２に向かって反射できるようにケース体１１の前部から延設されている。この光透過スペース１７を形成することによって、ＬＥＤ１３から発射されて反射板１６に反射されない周辺の光で段鼻部位７を照射するようにしている。
【００４１】
ＬＥＤ取付け板１２は、ＬＥＤ１３から発射した光が、反射板１６に衝突して前方に反射できるようにＬＥＤ１３を取り付けるものであり、図２中、ケース体１１の後壁１１３の上部から前壁１１４の下部に向かってケース体１１の対向する角部に斜め方向に配置されている。つまり、図２中、左傾して装着されている。実施形態のＬＥＤ１３は、直下の踏み面５の略中央部に向けて照射できるように、反射板１６に向かって、約４５°の角度で発射可能にＬＥＤ取付け板１２に装着されている。ＬＥＤ１３は、実施形態の場合、ＬＥＤ取付け板１２の裏面側に穿設された挿入孔１２１から挿入され、挿入孔１２１に連接して挿入孔１２１より小径の埋設孔１２２の基端部に埋設されている。埋設孔１２２はＬＥＤ１３の光を反射板１６に向かって発射できるようにＬＥＤ取付け板１２を貫通して形成されている。埋設孔１２２がＬＥＤ取付け板１２に形成される位置は、ＬＥＤ１３から発射する光が反射板１６で反射される光と、光透過スペース１７を通過して乳白パネル１４の上面側に到達する光を確保できる位置に形成されている。つまり、反射板１６の後端部の位置が、ＬＥＤ１３から反射板１６に向けて、発射角度４５°で発射して反射する位置より後方の位置に配置されていれば、反射光とともに光透過スペース１７から上方に向かう光を確保することができる。
【００４２】
このＬＥＤ取付け板１２の両端をケース体１１に斜めに配置させることによって、ケース体１１を補強するための筋交いとしての機能を発揮することができる。
【００４３】
くの字状に形成された光透過板１５は、正面側開口部１１２側に向かって開くように配置され、上下両端にフランジ部１５１を形成している。つまり、光透過板１５は、上下方向の中央部から上部フランジ部１５１ａに向かう上部壁部１５２ａが、反射板１６からの反射光に対して直交する方向に傾斜され、下部フランジ部１５１ｂに向かう下部壁部１５２ｂが、反射板１６からの反射光に対して平行する方向に傾斜されている。上部フランジ部１５１ａはケース体１１の裏面に当接するように配置されるとともに上部フランジ部１５１ａの上端部に反射板１６の一端が当接されている。下部フランジ部１５１ｂは、ケース体１１の裏面側に当接するように配置されるとともに、ＬＥＤ取付け板１２の一端に隣接するように配置されている。つまり、光透過板１５をケース体１１内に装着する際、光透過板１５の下部フランジ部１５１ｂをＬＥＤ取付け板１２に押圧する状態で装着することによって照明装置１０の強度を保持することができる。
【００４４】
上部壁部１５２ａの表面側(階段１の正面側)には、視認角度調整フィルタ１８が貼着されている。視認角度調整フィルタ１８は、ルーバー構造を有して視認角度調整フィルタ１８に対して直交する方向に光を透過させ、それ以外の角度を有する場合には光を透過させないように形成されている。したがって、実施形態では、傾斜した上部壁部１５２ａに貼着しているため、反射板１６で反射した光はそのまま直下の踏み面５に向かって照明することができ、階段１を昇る人は、視認角度調整フィルタ１８を階段１の正面から見ることになるから、つまり、視認角度調整フィルタ１８に対して角度を有した視線となるから、視認角度調整フィルタ１８を覗いても黒く見えることとなり眩しさを防止できる。
【００４５】
なお、ＬＥＤ取付け板１２の裏面とケース体１１との間に形成された隙間には、ＬＥＤ１３に配線された図示しない電線が挿通されている。
【００４６】
次に、上述のように構成された照明装置１０の作用について説明する。
【００４７】
図３に示すように、左傾して配置されたＬＥＤ取付け板１２に取り付けられたＬＥＤ１３は、反射板１６に向かって約４５°の角度で光を発射する。発射された光は、一方で反射板６から反射光となってケース体１１の正面側開口部１１２に向かい、他方で、反射板１６に反射されない光は光透過スペース１７を通って上方の乳白パネル１４に向かう。
【００４８】
反射板１６からの反射光は、透明の光透過板１５を透過するとともに視認角度調整フィルタ１８を透過して、直下の踏み面５を照明する。この踏み面５の照明部位は、踏み面５の略中央部となるように予め設定されていて、踏み面５の中央部が略全長にわたって点状に照明される。
【００４９】
視認角度調整フィルタ１８は、反射板１６で反射された光に対して直交する方向に貼着されているから、視認角度調整フィルタ１８を透過する反射光は、直下の踏み面５に向かってのみ照明することになる。一方、視認角度調整フィルタ１８を透過する反射光に対して、視認角度調整フィルタ１８における正面視以外からの視線が遮られることから、階段を昇ってきた人は、反射光を直接目にすることはない。そのため眩しさを感じることはなく安全な階段の昇降を行うことができる。また、ＬＥＤ１３はＬＥＤ取付け板１２に埋設されているから、階段を昇ってきた人は、ケース体１１の正面側開口部１１２から中を覗いても、ＬＥＤ１３を直視することがなく、やはり安全な昇降を行うことができる。
【００５０】
一方、反射板１６に向けて照射した光のうち、反射板１６で反射されない光は、光透過スペース１７から、半透明の乳白パネル１４を透過して上方に照射することになる。乳白パネル１４の上方、すなわち直上の段鼻部位７を照明することになる。この光は、反射板１６に向けて照射する光の周辺の光であり、しかも半透明の乳白パネル１４を通過することから、直下の踏み面５を照明する光の照度より、照度を下げた状態で段鼻部位７を同時に照明することになり、段鼻部位７の輝度を低くすることができる。
【００５１】
従って、照明装置１０で照明された各段３においては、踏み面５は、直接光が照射されるために明るく照明され、段鼻部位７は、間接光が照射されるために薄く照明されていることから、段鼻部位７を浮き立たせることができて安全な昇降を行える。
【００５２】
なお、踏み面５が前後方向で広く形成されている場合には、踏み面５の中央部を狙って照明するために、ＬＥＤ１３から発射する発射角度を４５°以外にも設定することができる。
【００５３】
上述のように、実施形態の照明装置１０によれば、照明装置１０自体を段鼻部位７として装着することから、光源となるＬＥＤ１３を、各段３の内部に配置することになる。そのため、外部からの要因でＬＥＤ１３自体を損傷させる虞がない。また、ＬＥＤ１３の発射は、一方で、反射板１６で反射された光を直下の踏み面５に照射し、他方で、反射板１６で反射されない光を光透過スペース１７から半透明の乳白パネル１４を通って直上の段鼻部位７に照射する。これによって、踏み面５の照明を高い輝度で行い、段鼻部位７への照明を低い輝度で行うことができることとなり、照明のバランスを適度に行うことができる。しかも１個のＬＥＤで２箇所の照明を行うことができることから、効率的な照明を行うことができる。
【００５４】
また、ＬＥＤ取付け板１２は、筋交いの機能を発揮できるから、ケース体１１の強度を高めることができるとともに、反射板１６で反射された反射光は、透明の光透過板１５に貼着された視認角度調整フィルタ１８を通って踏み面５に向かって照明することから、階段を昇る人の視線は、視認角度調整フィルタ１８によって遮られることになる。そのため、眩しさを感じることなく安全に昇ることができる。
【００５５】
なお、本発明の階段の照明装置は、上述の形態に限定するものではない。例えば、ＬＥＤ取付け板１２に取り付けるＬＥＤ１３は、ＬＥＤ取付け板１２の表面(反射板１６と対向する側の面)から挿入孔を形成して埋設孔に埋設するようにしてもよい。また、光透過板１５は、視認角度調整フィルタ１８を、反射光に対して直交する方向に貼着できるように構成されていれば、くの字状でなくても、単なる平面板状に形成されていてもよい。
【００５６】
次に第２の実施形態の照明装置について図４〜８に基づいて説明する。
【００５７】
第２の実施形態の照明装置２０では、照射手段としてケース体の長手方向に沿って長尺状に形成された透明のアクリル製導光棒(以下、導光棒と言う)を使用して構成されている。
【００５８】
ケース体２１は、矩形筐体状に形成され、上部に、ケース体２１の長手方向に沿って上部側開口部２１１、前部に、正面側開口部２１２を形成している。上部側開口部２１１には、半透明の樹脂板(以下、乳白パネルという)２２が挿入されて階段の段鼻部位７を形成している。正面側開口部２１２は、後述のＬＥＤから発射された光の通り道として形成される。
【００５９】
ケース体２１の内部には、図４に示すように、ケース体２１の一方の対角方向に向かって傾斜される補強板２３と、乳白パネル２２を遮光して光を反射させる反射板２４と、補強板２３と直交する方向に向かって光を透過可能な透明板としての光透過板２５と、が配置されている。
【００６０】
図４において補強板２３は、左上部がケース体２１の後壁２１３及び乳白パネル２２の一端に当接し、右下部がケース体２１の前下壁部２１４に介在された介在ブロック２６とケース体２１の底壁２１５に当接してケース体２１に押し付けることによって筋交いとしての機能を持っている。
【００６１】
反射板２４は、乳白パネル２２の後方部位を遮光しない光透過スペース２７を有し、乳白パネル２２のその他の部位を遮光して、発射された光を反射可能に乳白パネル２２に貼着されている。したがって、反射板２４に向かって発射された光は、一方において、反射板２４で反射されてケース体２１の正面側開口部２１２側(踏み面５側)に向かい、他方において、光透過スペース２７から直上の段鼻部位７側に向かうことになる。
【００６２】
光透過板２５は、反射板２４で反射された光を透過可能に形成され、反射された光線と直交方向に配置されている。光透過板２５の一端は補強板２３に形成された溝２３１内に嵌入することによって支持され、他端は、ケース体２１の前上壁部２１６と乳白パネル２２の前端部に当接することによって支持されている。そして、光透過板２５の表面側、つまりケース体２１の正面側開口部２１２側には、第１の実施形態と同様の機能を有する視認角度調整フィルタ２８が貼着されている。この視認角度調整フィルタ２８も、斜めに配置された光透過板２５に貼着されているため、反射板２４で反射された光を透過し、水平方向から見る場合には、遮光されて内部を除くことができない。
【００６３】
また、ケース体２１内には、直下の踏み面５と直上の段鼻部位７に光を照射する照射手段としての照射部３１が配置されている。照射部３１は、ケース体２１の長手方向に沿って長尺状に形成される透明の導光棒３２と、導光棒３２の両端から光を発射する光源としてのＬＥＤ３３とからなる。導光棒３２には、図５〜６に示すように、実施形態では断面矩形状に形成されて一面側に複数の円錐形切欠孔(以下、単に切欠孔)３２１が２列に形成されている。
【００６４】
一般に透明部材に光を照射する際、加工された部位があると、その部位から屈折して光の方向を切り変えることが周知事項として知られている。そのため、実施形態では、アクリル製の導光棒３２には、複数の切欠孔３２１を形成することとなる。ＬＥＤから発光された光は導光棒３２の軸心に沿って照射され、切欠孔３２１で屈折されることとなる。
【００６５】
また、この導光棒３２を使用することによって、ＬＥＤ３３は導光棒３２の両端から光を発射することになり、ＬＥＤ３３の数量を減らすことができる。さらに、導光棒３２は１本の透明の棒状部材で形成されているため、導光棒３２１から発光する発光面(切欠孔３２１)には、発光ムラを生じない。そのため、安定した照明を得ることができる。
【００６６】
導光棒３２はケース体２１内に補強板２３の一端面側に２個並設されて、図７に示すように、両端部が、ケース体２１の両端部に装着された保持板３４に支持されている。導光棒３２は、実施形態の場合、補強板２３の一方の面上に沿う位置に配置され、それぞれ切欠孔３２１、３２１を反射板２４に向けている。
【００６７】
一方、図７に示すように、保持板３４には、導光棒３２を挿入するための支持孔３４１が形成されるとともに、端面にフィルタ３５とＬＥＤ装着板３６とが装着されている。フィルタ３５は、ＬＥＤから発光する光の色を変えることができるように、保持板３４に着脱可能に配置される。したがって、ＬＥＤ３３から発光する色を変更する場合、導光棒３２の両端でフィルタ３５を入れ換えるだけで行うことができることとなる。ＬＥＤ装着板３６は、ＬＥＤ３３を挿入するための挿入孔３６１が形成され、挿入孔３６１には、軸方向に沿ってＬＥＤ３３の埋設孔３６２が貫通して形成されている。埋設孔３６２は、保持板３４の支持孔３４１と同心状に形成され、ＬＥＤ３３から発射する光を導光棒３２の軸方向に沿って発射できるように配置される。
【００６８】
なお、導光棒３２の周りには、光の漏れを防止するために、遮光フィルム３７が貼着されている。遮光フィルム３７は、光を照射する方向(切欠孔３２１が形成されている面、及び乳白パネル２２側に対向する面)の全面あるいは半面を除く位置に貼着されている。
【００６９】
次に上記のように構成された照明装置２０の作用について説明する。
【００７０】
ケース体２１の両端部に配置されたＬＥＤ３３が、導光棒３２の軸心に沿って光を発射する。導光棒３２に形成された切欠孔３２１が外周から軸心に向かって円錐状に形成されていることから、軸方向に沿って照射された光は、切欠孔３２１の軸心から切欠孔３２１の外周面に向かって方向変換する。この光の屈折は、導光棒３２に並行して形成された全ての切欠孔３２１に対して行われる。そして、各切欠孔３２１で屈折されて反射板２４に向かう。一方、反射板２４側に向かって屈折されない光の一部は、導光棒３２の遮光フィルム３７で貼着されていない透過部位３２２から漏れて乳白パネル２２の光透過スペース２７側に向かう。
【００７１】
反射板２４に向かう光は、第２の実施形態の場合、第１の実施形態と同様、４５°の発射角度に設定され、反射板２４で反射される。反射板２４からの反射光は、透明の光透過板２５を透過するとともに視認角度調整フィルタ２８を透過して、直下の踏み面５を照明する。この踏み面５の照明部位は、踏み面５の略中央部となるように予め設定されていて、踏み面５の中央部が長手方向にわたって点状に照明される。
【００７２】
視認角度調整フィルタ２８は、前述の形態と同様、反射板２４で反射された光に対して直交する方向に貼着されているから、視認角度調整フィルタ２８を透過する反射光は、反射板２４から４５°の角度で反射され、直下の踏み面５に向かってのみ照明することになる。一方、視認角度調整フィルタ２８を透過する反射光に対して、視認角度調整フィルタ２８における正面視以外からの視線が遮られることから、階段を昇ってきた人は、反射光を直接目にすることはない。そのため眩しさを感じることはなく安全な階段の昇降を行うことができる。また、ＬＥＤ３３は保持板３４に埋設されているから、階段を昇ってきた人は、ケース体２１の正面側開口部２１２から中を覗いても、ＬＥＤ３３を直視することがなくやはり安全な昇降を行うことができる。
【００７３】
一方、ＬＥＤ３３から導光棒３２の軸方向に沿って発射した光のうち、反射板２４に向かわない光は、光透過スペース２７から、半透明の乳白パネル２２を透過して上方に照射することになる。乳白パネル２２の上方、すなわち直上の段鼻部位７を照明することになる。この光は、反射板２４に向けて発射する光の周辺の光であり、しかも半透明の乳白パネル２２を通過することから、直下の踏み面５を照明する光の照度より、照度を下げた状態で段鼻部位７を同時に照明することになる。
【００７４】
従って、照明装置２０で照明された各段３においては、踏み面５部位の輝度が、直接光を照射するために高くなって明るく照明され、段鼻部位７の輝度は、間接光を照射するために、低くなって薄く照明されていることから、段鼻部位７を区別できて安全な昇降を行える。
【００７５】
上述のように、第２の実施形態の階段の照明装置２０では、照射部３１として、ケース体２１に沿って長手方向に配置される透明の導光棒３２と、導光棒３２の軸方向に沿って光を照射するＬＥＤ３３とを備えている。導光棒３２に加工孔(切欠孔３２１)を複数並設して形成することによって、光の方向を変えることができる。これによって、ＬＥＤ１３を、照射手段として、直接、ケース体１１の長手方向に沿って複数設置する第１の実施形態とは異なり、ＬＥＤ３３の設置数を少なくすることができて、階段の照明を効率よく行うことができる。
【００７６】
なお、第２の実施形態の場合、導光棒３２の配置位置を、図８に示すようにしてもよい。つまり、図８に示す形態では、導光棒３２に形成された切欠孔３２１を、直接、階段の踏み面５に向かうように配置させている。この場合においても、導光棒３２の切欠孔３２１が形成されている面と、その反対側の面を除いて、遮光フィルム３７が貼着されている。
【００７７】
また、ＬＥＤ３３は、導光棒３２の両端部に配置されて、導光棒３２の軸方向に向かって光を発射することとなる。そして、発射された光は、一方で、導光棒３２の切欠孔３２１から、直接、光透過板２５を通って、直下の踏み面５に照射される。また他方では、導光棒３２の切欠孔３２１面と反対側の面から漏れた光を乳白パネル２２の光透過スペース２７を通って、直上の段鼻部位７付近を照射することとなる。
【００７８】
また、本願発明の導光棒は、上述の形態に限定するものではない。例えば、断面矩形状でなく断面正方形でもよい。この場合、切欠孔３２１は、２列でなく１列であってもよい。さらに、導光棒の形状は、丸棒状でもよく、また丸棒状の一面を平面状に形成して、その部位に複数の切欠孔を形成するようにしてもよい。
【００７９】
例えば、導光棒が丸棒状の場合、図９〜１０に示すように、導光棒４２には、一部に反射フィルム４７を貼着している。導光棒４２は、両端に配置されたＬＥＤ３３が光を軸方向に沿って発射すると、光は導光棒３３の全体に漏れて照射されることになるが、反射フィルム４７が外周面の一部に貼着されていると、導光棒に発射された光が反射フィルム４７で反射される。つまり、図９のように、乳白パネル２２に向かって対向する位置に、導光棒３２の一部に反射フィルム４７を貼着することによって、ＬＥＤ３３から発射された光が乳白パネル２２の反射板２４に向かうことになる。反射板２４で反射された反射光は前述のように、光透過板２５、視認角度調整フィルタ２８を通って直下の踏み面５を照射することになる。また、導光棒４２から漏れた光が、光透過スペース２７、乳白パネル２２を透過して直上の段鼻部位７に照射することになる。
【００８０】
なお、丸棒状の導光棒４２が、内部に反射面を有して形成されているものであれば、図９に示す反射フィルム４７を貼着する必要はなく、また、反射面を有していないものであれば、断面矩形状に形成された前述の形態の動向棒３２のように、一方の側に切欠孔を複数に形成してもよい。
【００８１】
なお、本出願人は、第１の実施形態の照明装置１０及び第２の実施形態の照明装置２０において、各段の先端部(段鼻部位)から奥部(蹴上げ部)までの照度を測定すべき実験を行っている。これによると、上述の発明の効果が、実験により裏付けられている。つまり実験によれば、先端部から奥までの照明の明暗比が５〜１００倍の範囲でコントラストを付けると、適度な照明、つまり、先端部の段鼻部位から奥に向かって徐々に明るくなり、照度曲線もなだらかな状態で示されている結果を得ることができた。特に段鼻部位の輪郭を眩し過ぎることなく浮き出させることができるという効果を得ることができた。
【図面の簡単な説明】
【００８２】
【図１】照明装置を複数の段に装着した階段の一部を示す斜視図である。
【図２】第１の実施形態の照明装置を示す断面図である。
【図３】図２における照明装置で、直下の踏み面と直上の段鼻部位を照明する状態を示す断面図である。
【図４】第２の実施形態の照明装置を示す断面図である。
【図５】図４における導光棒とＬＥＤを示す斜視図である
【図６】図５における導光棒の断面図である。
【図７】導光棒とＬＥＤを挿入した保持板を示す断面図である。
【図８】第２の実施形態における別の構成を示す断面図である。
【図９】丸棒状に形成された導光棒を、組み込んだ照明装置を示す断面図である。
【図１０】図９における導光棒を示す斜視図である。
【符号の説明】
【００８３】
１、階段
３、段
５、踏み面
７、段鼻部位
１０、照明装置
１１、ケース体
１１２、正面側開口部
１２、ＬＥＤ取付け板
１３、ＬＥＤ
１４、乳白パネル
１５、光透過板
１６、反射板
１７、光透過スペース
１８、視認角度調整フィルタ
２０、照明装置
２１、ケース体
２１２、正面側開口部
２２、乳白パネル
２３、補強板
２４、反射板
２５、光透過板
２７、光透過スペース
２８、視認角度調整フィルタ
３１、照射部
３２、導光棒
３２１、切欠孔
３３、ＬＥＤ
３４、保持板
３５、フィルタ
３６、ＬＥＤ取付け板
３７、遮光フィルム
４２、導光棒
４７、反射フィルム
【図１】
2010055822.tif 000003
【図２】
2010055822.tif 000004
【図３】
2010055822.tif 000005
【図４】
2010055822.tif 000006
【図５】
2010055822.tif 000007
【図６】
2010055822.tif 000008
【図７】
2010055822.tif 000009
【図８】
2010055822.tif 000010
【図９】
2010055822.tif 000011
【図１０】
2010055822.tif 000012